(57)【要約】    【課題】      被写体が移動してもレンズの方向を固定したまま、その被写体の像を継続的に拡大表示できる画像表示装置を提供すること。    【解決手段】  拡大領域調整部１０５は、撮像部１１２によって取り込まれた画像において拡大表示される任意の領域を特定し、特定した画像領域を拡大処理部１１３と画像処理部１１４とにそれぞれ通知する。拡大処理部１１３は、撮像部１１２から入力されてくる画像信号に対して拡大領域調整部１０５から通知される画像領域を拡大処理し、その拡大処理後の画像信号を記録部１１６と供給選択部１１７とにそれぞれ入力する。画像処理部１１４は、撮像部１１２から入力されてくる画像信号に対して拡大領域調整部１０５から通知される画像領域を例えば色枠で囲む等その他の画像領域と区別できるように画像処理を行い、その画像処理後の画像信号を供給選択部１１７に入力する。  【選択図】      図１
2006108736.tif 000002
【特許請求の範囲】
【請求項１】
被写体の像を取り込む撮像手段と、
取り込まれた画像を拡大処理する拡大処理手段と、
前記拡大処理手段によって拡大処理される画像領域の大きさと位置を調整する拡大領域調整手段と、
拡大処理された画像を表示する表示手段と、
を具備することを特徴とする画像表示装置。
【請求項２】
前記拡大処理手段によって拡大処理される画像領域を他の画像領域と区別する画像処理を行う画像処理手段と、
前記拡大処理手段によって拡大処理された画像と前記画像処理手段によって画像処理された画像とを選択する選択手段と、をさらに具備し、
前記表示手段は、前記選択手段によって選択された画像を表示する、
ことを特徴とする請求項１記載の画像表示装置。
【請求項３】
前記拡大処理手段によって拡大処理された画像を記録媒体に記録する記録手段をさらに具備する、
ことを特徴とする請求項１又は請求項２記載の画像表示装置。
【請求項４】
前記拡大領域調整手段又は前記選択手段を操作する操作手段をさらに具備する、
ことを特徴とする請求項２記載の画像表示装置。
【発明の詳細な説明】
【技術分野】
【０００１】
本発明は、取り込んだ画像を拡大表示する機能を有する画像表示装置に関する。
【背景技術】
【０００２】
従来、監視カメラシステム等の画像表示装置では、ＣＣＤ（Charge Coupled Device）等の撮像素子によって取り込まれた被写体の像を拡大表示する場合、その被写体の像がフレームの中央に位置するようにレンズの方向が調整された上で、光学的な機構やソフトウェア処理によってズームアップが行われる（例えば特許文献１参照）。
【特許文献１】特開平９−２７０９４２号公報
【発明の開示】
【発明が解決しようとする課題】
【０００３】
しかしながら、特許文献１に記載された技術では、ズーム倍率が高くなると画角が小さくなるため、レンズの方向が少しでも変わると拡大表示される画像が一変してしまうことから、移動する被写体を継続的に撮影し続けることが困難で見失い易いという問題がある。特に、被写体が子供や動物であれば、突然移動し始めたりするため、この問題がより顕在化し易い。
【０００４】
本発明はかかる点に鑑みてなされたものであり、被写体が移動してもレンズの方向を固定したまま、その被写体の像を継続的に拡大表示できる画像表示装置を提供することを目的とする。
【課題を解決するための手段】
【０００５】
本発明に係る画像表示装置は、被写体の像を取り込む撮像手段と、取り込まれた画像を拡大処理する拡大処理手段と、前記拡大処理手段によって拡大処理される画像領域の大きさと位置を調整する拡大領域調整手段と、拡大処理された画像を表示する表示手段と、を具備する構成を採る。
【０００６】
本発明に係る画像表示装置は、前記発明において、前記拡大処理手段によって拡大処理される画像領域を他の画像領域と区別する画像処理を行う画像処理手段と、前記拡大処理手段によって拡大処理された画像と前記画像処理手段によって画像処理された画像とを選択する選択手段と、をさらに具備し、前記表示手段は、前記選択手段によって選択された画像を表示する、構成を採る。
【０００７】
本発明に係る画像表示装置は、前記発明において、前記拡大処理手段によって拡大処理された画像を記録媒体に記録する記録手段をさらに具備する、構成を採る。
【０００８】
本発明に係る画像表示装置は、前記発明において、前記拡大領域調整手段又は前記選択手段を操作する操作手段をさらに具備する、構成を採る。
【発明の効果】
【０００９】
本発明に係る画像表示装置によれば、拡大領域調整手段を具備するため、取り込まれた画像の任意の領域を任意の倍率で拡大表示できることから、被写体が移動しても、レンズの方向を変えることなくその被写体を継続的に拡大表示することができる。
【００１０】
また、本発明に係る画像表示装置によれば、前記発明による効果に加えて、画像処理手段と選択手段とを具備するため、撮像手段によって取り込まれた画像において拡大表示される領域とその他の領域とを容易に識別できるようになることから、拡大表示される領域を一層迅速、かつ、自在に決定することができる。
【００１１】
また、本発明に係る画像表示装置によれば、前記発明による効果に加えて、操作手段を具備するため、撮像手段によって取り込まれた画像における任意の領域を任意の倍率で自在に拡大表示することができる。
【発明を実施するための最良の形態】
【００１２】
以下、本発明の一実施の形態について、図を適宜参照しつつ詳細に説明する。
【００１３】
図１は、本発明の一実施の形態に係る画像表示装置１００の構成を示すブロック図である。
【００１４】
画像表示装置１００は、操作部１０１、制御部１０２、拡大領域調整部１０５、駆動部１１１、撮像部１１２、拡大処理部１１３、画像処理部１１４、記録部１１６、供給選択部１１７及び表示部１１８を具備する。
【００１５】
操作部１０１は、押しボタンスイッチやジョイスティック等を含んで構成され、操作者による操作を電気信号に変換して操作信号を生成し、生成した操作信号を制御部１０２に入力する。
【００１６】
制御部１０２は、操作部１０１から入力されてくる操作信号を、その操作に係る動作を担当する各構成部に振り分け、振り分けた各操作信号Ｓ１〜Ｓ７を対応する各構成部にそれぞれ入力する。
【００１７】
拡大領域調整部１０５は、制御部１０２から入力されてくる操作信号Ｓ２の指令に従い、撮像部１１２によって取り込まれた画像において拡大表示される任意の領域を特定し、特定した画像領域を拡大処理部１１３と画像処理部１１４とにそれぞれ通知する。
【００１８】
駆動部１１１は、制御部１０２から入力されてくる操作信号Ｓ１の指令に従い、撮像部１１２のハードウェア面の調整即ちレンズの向きの変更やズームレンズの倍率調節等を行う。
【００１９】
撮像部１１２は、光学レンズやＣＣＤ等を含んで構成され、被写体の像を取り込んで電気信号に変換し、その変換後の画像信号を拡大処理部１１３と画像処理部１１４とにそれぞれ入力する。
【００２０】
拡大処理部１１３は、制御部１０２から入力されてくる操作信号Ｓ３によって拡大処理を行うように指令された場合には、撮像部１１２から入力されてくる画像信号に対して拡大領域調整部１０５から通知される画像領域を拡大処理し、その拡大処理後の画像信号を記録部１１６と供給選択部１１７とにそれぞれ入力する。一方で、拡大処理部１１３は、制御部１０２から入力されてくる操作信号Ｓ３によって拡大処理を行わないように指令された場合には、撮像部１１２から入力されてくる画像信号をそのまま記録部１１６と供給選択部１１７とにそれぞれ入力する。
【００２１】
画像処理部１１４は、制御部１０２から入力されてくる操作信号Ｓ５によって画像処理を行うように指令された場合には、撮像部１１２から入力されてくる画像信号に対して拡大領域調整部１０５から通知される画像領域を例えば色枠で囲む等その他の画像領域と区別できるように画像処理を行い、その画像処理後の画像信号を供給選択部１１７に入力する。一方で、画像処理部１１４は、制御部１０２から入力されてくる操作信号Ｓ５によって画像処理を行わないように指令された場合には、撮像部１１２から入力されてくる画像信号をそのまま供給選択部１１７に入力する。
【００２２】
記録部１１６は、メモリカードやテープレコーダ等を含んで構成され、制御部１０２から入力されてくる操作信号Ｓ７の指令に従い、拡大処理部１１３から入力されてくる画像信号をビデオテープ等の記録媒体に記録する。
【００２３】
供給選択部１１７は、制御部１０２から入力されてくる操作信号Ｓ６の指令に従い、拡大処理部１１３から入力されてくる画像信号と画像処理部１１４から入力されてくる画像信号との少なくとも一方を表示部１１８に入力する。
【００２４】
表示部１１８は、液晶ディスプレイ等を含んで構成され、制御部１０２から入力されてくる操作信号Ｓ４の指令に従って液晶ディスプレイ等の電源のＯＮ／ＯＦＦを行い、供給選択部１１７から入力されてくる画像信号を映像表示する。
【００２５】
次いで、画像表示装置１００の動作について、図２及び図３を用いて説明する。
【００２６】
図２に、撮像部１１２によって取り込まれた画像１１に対して、画像処理部１１４によって拡大表示される画像領域とその他の画像領域とが区別できるように点線枠で囲まれた様子を示す。図２では、撮像部１１２によって画角が最大の状態で取り込まれた画像１１において、拡大処理部１１３によって拡大処理される画像領域が点線枠で中央１２、左上１２−１、右上１２−２、左下１２−３及び右下１２−４の領域番号と共にそれぞれ記載されている。
【００２７】
そして、図３に、図２に示す領域番号と、その各領域番号に対応する表示部１１８によって映像表示される２つのモード（モード１、モード２）と、を示す。このモード１は、供給選択部１１７によって拡大処理部１１３からの拡大処理された画像信号が選択された場合における表示部１１８の表示映像である。また、モード２は、供給選択部１１７によって画像処理部１１４からの画像処理された画像信号が選択された場合における表示部１１８の表示映像である。
【００２８】
このように、本発明に係る画像表示装置１００によれば、拡大領域調整部１０５を具備するため、撮像部１１２によって取り込まれた画像の任意の領域を任意の倍率で拡大表示できることから、被写体が移動しても、レンズの方向を変えることなくその被写体を継続的に拡大表示することができる。
【００２９】
また、本発明に係る画像表示装置１００によれば、画像処理部１１４と供給選択部１１７とを具備するため、撮像部１１２によって取り込まれた画像において拡大表示される領域とその他の領域とを容易に識別できるようになることから、拡大表示される画像領域を一層迅速、かつ、自在に決定することができる。
【産業上の利用可能性】
【００３０】
本発明に係る画像表示装置は、被写体が移動してもレンズの方向を固定したままその被写体の像を継続的に拡大表示できるという効果を有し、監視カメラシステム等に有用である。
【図面の簡単な説明】
【００３１】
【図１】本発明の一実施の形態に係る画像表示装置の構成を示すブロック図
【図２】本発明の一実施の形態に係る画像表示装置の動作を説明する図
【図３】本発明の一実施の形態に係る画像表示装置の動作を説明する図
【符号の説明】
【００３２】
１００  画像表示装置
１０１  操作部
１０２  制御部
１０５  拡大領域調整部
１１１  駆動部
１１２  撮像部
１１３  拡大処理部
１１４  画像処理部
１１６  記録部
１１７  供給選択部
１１８  表示部
【図１】
2006108736.tif 000003
【図２】
2006108736.tif 000004
【図３】
2006108736.tif 000005